(57)【要約】【課題】複雑な輸液回路を簡単に作ることができ、細菌の混入を防止することができ、かつ、使い勝手の良い輸液回路の接続器具及び輸液回路の接続システムを提供する。【解決手段】この輸液回路の接続器具１ａは、輸液回路の主送輸液ラインの輸液が流れる接続本管２と、接続本管２に連通し、側注輸液ラインの配管、又は、シリンジを接続する接続口３を複数備えている。接続口３には、中央部に略半球状で常時は圧着密閉状態の弁孔５２を有するゴム製のシール弁体５１を装着しているので、側注輸液ラインの配管、又は、ツイストロック式注射器などのシリンジを繋いだり抜いたりする操作が容易であり、誤操作を解消できる。また、接続口３を複数備えているので、側注輸液ラインの配管や、注射器などのシリンジを複数接続することができ、複雑な輸液回路を簡単に作ることができる。【選択図】      図９
2004195181.tif 000002
【特許請求の範囲】
【請求項１】
本流をなす一の医療用輸液ラインに、他の複数の医療用輸液ライン又は複数のシリンジを接続するための接続器具であって、
前記一の医療用輸液ラインの配管の途中に配設する接続本管と、
前記接続本管の周囲から分岐した複数本の分岐接続管と、
前記各分岐接続管の先端開口部に装着した、中央部に常時は圧着密閉状態の弁孔を有するゴム製のシール弁体を備えることを特徴とする輸液回路の接続器具。
【請求項２】
前記分岐接続管に、他の医療用輸液ラインの配管又はシリンジを繋ぎ止める繋止部を設けたことを特徴とする請求項１に記載の輸液回路の接続器具。
【請求項３】
前記他の医療用輸液ラインの配管又はシリンジの先端にコネクタを取り付けるとともに、接続器具の各分岐接続管に、コネクタを介して、他の医療用輸液ラインの配管又はシリンジを接続することを特徴とする請求項１又は２に記載の輸液回路の接続器具。
【請求項４】
前記シール弁体は、前記接続器具の各分岐接続管に他の医療用輸液ラインの配管又は複数のシリンジを接続したときに、弁孔に他の医療用輸液ラインの配管、シリンジ又は前記コネクタが挿し込まれることなく、他の医療用輸液ラインの配管、シリンジ又は前記コネクタの先端により押圧され変形して弁孔が開口状態になるものであることを特徴とする請求項１から３の何れかに記載の輸液回路の接続器具。
【請求項５】
前記シール弁体は、略半球状又は略円筒状であることを特徴とする請求項４に記載の輸液回路の接続器具。
【請求項６】
前記シール弁体は、分岐接続管にリング状固定具又はキャップによって着脱自在に装着されていることを特徴とする請求項１から５の何れかに記載の輸液回路の接続器具。
【請求項７】
中央部に常時は圧着密閉状態の弁孔を有するゴム製のシール弁体を装着した接続口を複数設けた接続器具を一の医療用輸液ラインに取り付け、
前記接続器具の各接続口に装着したシール弁体の弁孔に、他の医療用輸液ラインの配管又はシリンジを挿し込むことにより、一の医療用輸液ラインに他の医療用輸液ラインの配管又はシリンジを接続することを特徴とする輸液回路の接続システム。
【請求項８】
中央部に常時は圧着密閉状態の弁孔を有するゴム製のシール弁体を配置した接続口を複数設けた接続器具を一の医療用輸液ラインに取り付け、
前記接続器具の各接続口に装着したシール弁体の弁孔に、他の医療用輸液ラインの配管又はシリンジを挿し込むことなく、他の医療用輸液ラインの配管又はシリンジの先端によりシール弁体を押圧変形させて弁孔を開口状態にすることにより、一の医療用輸液ラインに他の医療用輸液ラインの配管又はシリンジを接続することを特徴とする輸液回路の接続システム。
【発明の詳細な説明】
【０００１】
【発明の属する技術分野】
本発明は、輸液回路での本流をなす医療用輸液ラインに、支流をなす医療用輸液ラインの配管や薬液の注入や抽出のためのシリンジを複数接続するのを可能にする輸液回路の接続器具に関するもの、および、本流をなす医療用輸液ラインに、支流をなす医療用輸液ラインの配管やシリンジを複数接続することが簡単にできる輸液回路の接続システムに関するものである。
【０００２】
【従来の技術】
従来、薬液の点滴や人工透析に用いる輸液回路は、一の医療用輸液ラインに他の医療用輸液ラインの配管やシリンジを接続する場合、輸液回路の接続器具としてロータリバルブ（三方活栓）を組み込んだ図１５（ａ）に示すような接続器具１００を用いている。
【０００３】
この接続器具１００は、第１と第２の２つの主輸液口１０１、１０２と、第１の主輸液口１０１から第２の主輸液口１０２に至る接続本管１０３と、接続本管１０３の中間部に連通した１つの側注口１０４と、接続本管１０３の中間部に設けたロータリバルブ１０５とを備えたものである。
【０００４】
接続器具１００の第１と第２の主輸液口１０１、１０２には、例えば、輸液回路の本流をなす医療用輸液ライン（主送輸液ライン）の上流側の配管１０６と主送輸液ラインの下流側の配管１０７を接続する。側注口１０４には、例えば、薬液バックに接続した他の医療用輸液ライン（側注輸液ライン）の配管や、薬液を注入したり、輸液を抽出したりするシリンジを接続する。
【０００５】
ロータリバルブ１０５は、バルブ部１０８と、バルブ部１０８の一端に設けた操作アーム１０９からなる。バルブ部１０８は、図１５（ａ）に示すように、円筒形状の部位であり、接続本管１０３の中間部に形成した円筒形の穴１１０に嵌入し、円筒形の穴１１０の内周面に外周面を面当りさせてシール性を確保して装着している。バルブ部１０８には、第１及び第２の主輸液口１０１、１０２と、側注口１０４に連通するＴ字型の流路１１１を形成している。
【０００６】
この接続器具１００は、ロータリバルブ１０５の操作アーム１０９を操作することにより、バルブ部１０８のポジションを変えることができ、流路１１１を切替えることができる。例えば、ロータリバルブ１０５の第１のポジションでは、図１５（ａ）に示すように、バルブ部１０８に形成したＴ字型の流路１１１を介して主輸液口１０１、１０２と側注口１０４の三方向に連通する流路にすることができる。また、ロータリバルブ１０５の第２のポジションでは、図１５（ｂ）に示すように、第２の主輸液口１０２を遮断し、バルブ部１０８に形成したＴ字型の流路１１１により、第１の主輸液口１０１と側注口１０４を連通させることができる（斯かる三方活栓については、例えば、下記特許文献１に記載されている。）。
【０００７】
【特許文献１】
特開平１０−２７７１６１号公報、図１１
【０００８】
【発明が解決しようとする課題】
上記の接続器具１００は、本流をなす一の医療用輸液ラインに、他の医療用輸液ラインの配管やシリンジを接続し、流路を切替えることができるが、他の医療用輸液ラインの配管やシリンジを複数接続するような複雑な輸液回路を簡単に作ることはできなかった。
【０００９】
また、上記の接続器具１００は、配管を繋ぐ時に細菌が流路に入る恐れがあり、院内感染を防ぐために衛生管理に注意が必要である。特に、配管やシリンジを抜いたときに、医療用輸液ラインの配管やシリンジを接続する側注口に、輸液溜まりが生じることがあるが、側注口が狭いために、この輸液溜まりを拭き取ったり、消毒したりするのは容易ではなく煩雑であった。
【００１０】
また、接続器具１００は、輸液溜まりを防止するためロータリバルブ１０５のバルブ部１０８を接続本管１０３の中間部に形成した円筒形の穴１１０に圧入している。このため操作アーム１０９が固く操作性が悪く、また、誤操作の原因になっていた。
【００１１】
また、ロータリバルブ１０５などの形状が複雑であるため、製造コストが嵩む問題や、高圧蒸気滅菌に時間が掛かるなどの問題があった。
【００１２】
そこで、本発明は、複雑な輸液回路を簡単に作ることができ、細菌の混入を防止することができ、かつ、使い勝手の良い輸液回路の接続器具及び輸液回路の接続システムを提供することを目的としている。
【００１３】
【課題を解決するための手段】
請求項１に記載の輸液回路の接続器具は、本流をなす一の医療用輸液ラインに、他の複数の医療用輸液ライン又は複数のシリンジを接続するための接続器具であって、前記一の医療用輸液ラインの配管の途中に配設する接続本管と、前記接続本管の周囲から分岐した複数本の分岐接続管と、前記各分岐接続管の先端開口部に装着した、中央部に常時は圧着密閉状態の弁孔を有するゴム製のシール弁体とを備えている。
【００１４】
この輸液回路の接続器具は、接続本管の周囲に、中央部に常時は圧着密閉状態の弁孔を有するゴム製のシール弁体を装着した接続口を複数備えているので、他の医療用輸液ライン（側注輸液ライン）の配管や、シリンジを複数繋ぐことができ、複雑な輸液回路を簡単に作ることができる。
【００１５】
また、接続口に、中央部に常時は圧着密閉状態の弁孔を有するゴム製のシール弁体を装着しているので、他の医療用輸液ラインの配管やシリンジをニードルレスで接続口に繋いだり抜いたりする操作が容易である。すなわち、この接続口は、他の医療用輸液ラインの配管やシリンジを繋ぐだけで回路が開通し、また抜くだけで回路が閉じる。また、接続口に繋いだ他の医療用輸液ラインの配管にピンチコックを取り付けておけば、ピンチコックを開閉操作するだけで、回路の開閉を操作できるので、使い勝手が良く、誤操作を防止できる。また、ニードルレスで接続できるので安全性も良い。
【００１６】
また、接続口に装着したシール弁体の弁孔は常時は圧着密閉状態であるので、配管やシリンジを接続口に繋いだり、抜いたりするときにも接続本管の輸液が漏れることがなく、また細菌が流路に混入するのを抑制することができる。またシール弁体の外面に付着した輸液を拭き取ったり、接続口を消毒したりすることが容易であり衛生的である。
【００１７】
請求項２に記載の輸液回路の接続器具は、分岐接続管に、他の医療用輸液ラインの配管又はシリンジを繋ぎ止める繋止部を設けたことを特徴としている。この輸液回路の接続器具は、分岐接続管に、他の医療用輸液ラインの配管又はシリンジを繋ぎ止める繋止部を設けたので、接続口に接続した他の医療用輸液ラインの配管やシリンジが誤って外れることがない。
【００１８】
請求項３に記載の輸液回路の接続器具は、前記他の医療用輸液ラインの配管又はシリンジの先端にコネクタを取り付けるとともに、接続器具の各分岐接続管に、コネクタを介して、他の医療用輸液ラインの配管又はシリンジを接続することを特徴としている。この輸液回路の接続器具は、コネクタを介して他の医療用輸液ラインの配管やシリンジを繋げるようにしたので、他の医療用輸液ラインの配管又はシリンジの先端の規格に応じたコネクタを用いることにより、他の医療用輸液ラインの配管又はシリンジを接続することができるので、汎用性が向上する。
【００１９】
請求項４に記載の輸液回路の接続器具は、前記シール弁体が、前記接続器具の各分岐接続管に他の医療用輸液ラインの配管又は複数のシリンジを接続したときに、弁孔に他の医療用輸液ラインの配管、シリンジ又は前記コネクタが挿し込まれることなく、他の医療用輸液ラインの配管、シリンジ又は前記コネクタの先端により押圧され変形して弁孔が開口状態になるものであることを特徴としている。この輸液回路の接続器具は、他の医療用輸液ラインの配管、シリンジ又はコネクタの先端をシール弁体の弁孔に挿し込むことなく、シール弁体を押圧変形させることによって、弁孔を開口状態にして流路を形成している。このため、血液や輸液が他の医療用輸液ラインの配管、シリンジ又はコネクタの先端外周部に接触しないので衛生的である。また、前記接続器具の各分岐接続管から他の医療用輸液ラインの配管又は複数のシリンジを外したときには、シール弁体は弾性復元力により元の形状に戻り、弁孔は閉じられる。このシール弁体は、例えば、請求項５に記載するようにシール弁体の形状を略半球状又は略円筒状にすると良い。
【００２０】
請求項６に記載の輸液回路の接続器具は、前記シール弁体が、分岐接続管にリング状固定具又はキャップによって着脱自在に装着されていることを特徴としている。この輸液回路の接続器具は、シール弁体の装着作業やシール弁体が摩耗したり損傷したりした場合の交換作業を、容易に行うことができる。また、リング状固定具によって分岐接続管の上端とシール弁体の上端との間に形成される段差によって、他の医療用輸液ラインの配管又はシリンジの先端の挿入が容易、かつ、安定して行える。
【００２１】
請求項７に記載の輸液回路の接続システムは、中央部に常時は圧着密閉状態の弁孔を有するゴム製のシール弁体を装着した接続口を複数設けた接続器具を一の医療用輸液ラインに取り付け、前記接続器具の各接続口に装着したシール弁体の弁孔に、他の医療用輸液ラインの配管又はシリンジを挿し込むことにより、一の医療用輸液ラインに他の医療用輸液ラインの配管又はシリンジを接続することを特徴としている。
【００２２】
この輸液回路の接続システムは、中央部に常時は圧着密閉状態の弁孔を有するゴム製のシール弁体を装着した接続口を複数設けた接続器具を用いているので、接続器具を取り付けた一の医療用輸液ラインに、他の医療用輸液ラインの配管又はシリンジを接続する自由度が高く、複雑な輸液回路を簡単に作ることができる。また、この接続口は、他の医療用輸液ラインの配管又はシリンジをニードルレスで接続することができ、操作上、安全性が良い。なお、「シール弁体の弁孔に、他の医療用輸液ラインの配管又はシリンジを挿し込むこと」には、シール弁体の弁孔に、他の医療用輸液ラインの配管又はシリンジの先端を直接挿し込むことの他に、他の医療用輸液ラインの配管又はシリンジの先端にコネクタを取り付け、そのコネクタの先端を接続口のシール弁体の弁孔に挿し込むことも意図している。
【００２３】
請求項８に記載の輸液回路の接続システムは、中央部に常時は圧着密閉状態の弁孔を有するゴム製のシール弁体を配置した接続口を複数設けた接続器具を一の医療用輸液ラインに取り付け、前記接続器具の各接続口に装着したシール弁体の弁孔に、他の医療用輸液ラインの配管又はシリンジを挿し込むことなく、他の医療用輸液ラインの配管又はシリンジの先端によりシール弁体を押圧変形させて弁孔を開口状態にすることにより、一の医療用輸液ラインに他の医療用輸液ラインの配管又はシリンジを接続することを特徴としている。
【００２４】
この輸液回路の接続システムは、中央部に常時は圧着密閉状態の弁孔を有するゴム製のシール弁体を装着した接続口を複数設けた接続器具を用いているので、接続器具を取り付けた一の医療用輸液ラインに、他の医療用輸液ラインの配管又はシリンジを接続する自由度が高く、複雑な輸液回路を簡単に作ることができる。また、この接続口は、他の医療用輸液ラインの配管又はシリンジをニードルレスで接続することができ、操作上、安全性が良い。さらに、他の医療用輸液ラインの配管又はシリンジを、シール弁体の弁孔に挿し込むことなく、他の医療用輸液ラインの配管又はシリンジの先端でシール弁体を押圧変形させて弁孔を開口状態にするので、弁孔の設計が容易になり、ひいてはシール弁体の製作が容易になる。なお、「シール弁体の弁孔に、他の医療用輸液ラインの配管又はシリンジを挿し込むことなく、他の医療用輸液ラインの配管又はシリンジによりシール弁体を押圧変形させて弁孔を開口状態にする」には、シール弁体を、他の医療用輸液ラインの配管又はシリンジの先端で直接押圧変形させることの他に、他の医療用輸液ラインの配管又はシリンジの先端にコネクタを取り付け、そのコネクタの先端でシール弁体を間接的に押圧変形させて弁孔を開口状態にすることも意図している。
【００２５】
【発明の実施の形態】
以下、本発明に係る輸液回路の接続器具および輸液回路の接続システムの実施の形態を図面に基づいて説明する。なお、同一の作用を奏する部材・部位には同じ符号を付して重複する説明を省略する。
【００２６】
本発明の第１実施形態に係る輸液回路の接続器具１は、図１、図６に示すように、輸液回路の主送輸液ライン４１の輸液が流れる接続本管２と、接続本管２に連通し、かつ、側注輸液ライン４３の配管２２やツイストロック式注射器６００などのシリンジを接続する接続口３（３ａ、３ｂ、３ｃ、３ｄ）を複数（例えば、４つ）備えており、各接続口３に側注輸液ライン４３の配管２２やツイストロック式注射器６００などのシリンジを自由に接続することができるようになっている。
【００２７】
接続本管２は、両端に主送輸液ライン４１の上流側の配管４と下流側の配管５を接続する接続部６、７を備えている。主送輸液ライン４１の上流側の配管４と下流側の配管５は、例えば、ゴム製のチューブからなり、接続部６、７に挿し込んで接続する。下流側の配管５には、配管５を挟んで、主送輸液ライン４１の輸液の流通を止めるピンチコック８を取り付けている。
【００２８】
接続本管２の中間部には分岐接続管９を４つ設けており、分岐接続管９の先端開口部には、側注輸液ライン４３の配管２２やツイストロック式注射器６００などのシリンジを接続する接続口３を設けている。接続口３には、中央部に常時は圧着密閉状態の弁孔を有するゴム製のシール弁体１１を装着している。
【００２９】
シール弁体１１は、図２（ａ）（ｂ）に示すように、シリコーンゴムなどの弾性体で形成した略円板状の部材であり、シール弁体１１の中央部には弁孔１２を形成している。
【００３０】
弁孔１２は、スリット状の切り込みを入れたものでもよいが、シール性を向上させるため、例えば、図２（ｃ）に拡大して示すように、（分岐接続管９の先端開口部に外側に向けて配設する）シール弁体１１の上面１３に所定深さの溝１４を直線状に形成し、この溝１４の底部に、（分岐接続管９の先端開口部に内側に向けて配設する）シール弁体１１の下面１５に貫通した小径孔１６を形成したものにするとよい。
【００３１】
また、溝１４の長手方向の両端部１４ａは、図２（ｄ）に拡大して示すように、Ｖ字に切り込まれている。これにより弁孔１２を圧着密閉状態にしたときに、溝１４の両端部１４ａの締まりがよくなり、液体の沁み出しや漏れを抑制できる。
【００３２】
シール弁体１１の中央部に形成された溝１４の深さは、シール弁体１１の中央部における厚さの１／２〜４／５程度であることが望ましい。この溝１４は、例えば、シール弁体１１を成形する金型成形時に形成するとよい。また、シール弁体１１の溝１４の底部に形成される小径孔１６は、円錐形状の針を突き刺して形成すると、小径孔１６の開口部にシリコーンゴムの切屑が生じず、小径孔１６の開口がきれいに仕上がる。また、シール弁体１１の外径１７は、分岐接続管９の先端開口部の内壁１８に圧入できるように、当該内壁１８の内径よりも少し大きくしている。また、シール弁体１１の上面１３および下面１５の中央部は、それぞれアーチ型凹部形状１９、２０にしている。
【００３３】
この輸液回路の接続器具１は、分岐接続管９の先端開口部にシール弁体１１を装着し、超音波溶着により分岐接続管９の先端開口部の先端を内側に曲げて分岐接続管９の先端開口部にシール弁体１１を取り付けている。
【００３４】
このシール弁体１１は、図３に示すように、分岐接続管９の先端開口部に装着すると、分岐接続管９の先端開口部の内壁１８によって内径方向に圧縮されるので、シール弁体１１の中央部に矢印方向の大きな圧縮応力が発生する。さらに、シール弁体１１の中央部は、上面１３及び下面１５の中央部をそれぞれアーチ型凹部形状１９、２０にしているので、弁孔１２の近傍でより大きな圧縮応力が作用する。特に、シール弁体１１の中央部は、上面１３側よりも小径孔１６が形成されているシール弁体１１の下面１５側に、より大きな圧縮応力が発生している。シール弁体１１の弁孔１２は、このように、シール弁体１１内部に作用する圧縮応力により、常時は圧着密閉状態になっている。
【００３５】
分岐接続管９の先端の外周面には、側注輸液ライン４３の配管、又は、シリンジを繋ぎ止める繋止部として螺合片２１を設けている。
【００３６】
側注輸液ライン４３の配管２２は、例えば、主送輸液ライン４１に注入する薬液を封入した薬液バッグ４４に接続されている。この輸液回路の接続器具１に側注輸液ラインの配管２２を接続する場合は、図４、図６に示すように、側注輸液ライン４３の配管２２の先端にコネクタ２３を取り付けてニードルレスで接続することができる。
【００３７】
このコネクタ２３は、一端にシール弁体１１の弁孔１２に挿入する挿入管部２４と、分岐接続管９を覆うカラー部２５を備えている。カラー部２５の内周面には、分岐接続管９の螺合片２１に螺合させる螺合部２６を形成している。コネクタ２３の他端には、側注輸液ライン４３の配管を挿し込む装着部２７を備えている。コネクタ２３の内部には、側注輸液ライン４３の配管を挿し込む装着部２７からシール弁体１１の弁孔１２に挿入する挿入管部２４に至る流路２８を形成している。また、コネクタ２３の外側面には、外径方向に延在した操作片２９を設けている。
【００３８】
このコネクタ２３を用いれば、図４に示すように、コネクタ２３の装着部２７に側注輸液ライン４３の配管２２を挿し込み、コネクタ２３のカラー部２５を接続器具１の分岐接続管９の螺合片２１に螺合させながら、コネクタ２３の挿入管部２４をシール弁体１１の弁孔１２に挿入して、輸液回路の接続器具１の接続口３に接続する。これにより、輸液回路の接続器具１の接続本管２と、コネクタ２３の流路２８を介して、主送輸液ライン４１の配管４、５と側注輸液ライン４３の配管を接続することができる。
【００３９】
この輸液回路の接続器具１は、接続口３が４つあるので、側注輸液ラインの配管を４つ接続することができる。
【００４０】
また、近年、医療現場では注射器の安全性を向上させるために、図５（ａ）に示すように、注射針６０１を注射器の口部６０２に螺合させ、注射針６０１の脱落を防止することができるツイストロック式注射器６００が採用されつつある。ツイストロック式注射器６００は、図５（ｂ）に示すように、押子６０３と、押子６０３が装入されるシリンダ部６０４と、シリンダ部６０４から雄テーパ状に突出した口部６０２と、口部６０２の周りに円筒状に延在したカラー６０５と、カラー６０５の内周面に形成された雌ねじ部６０６とを備えている。ツイストロック式注射器６００の注射針６０１は、図５（ｃ）に示すように、ハブ部６０７の先端部に針６０８が取り付けてあり、基端部に雌テーパ状の装着部６０９があり、その基端部端縁の外周に螺合片６１０が設けられている。
【００４１】
この輸液回路の接続器具１は、図４に示すように、コネクタ３０を介して、ツイストロック式注射器６００を接続することができる。このコネクタ３０は、ツイストロック式注射器６００の口部６０２を挿入する雌テーパ状の装着部３１を備えており、装着部３１の外周面には、ツイストロック式注射器６００の雌ねじ部６０６が螺合する螺合片３２が設けてある。
【００４２】
この輸液回路の接続器具１に、コネクタ３０を介してツイストロック式注射器６００を接続することにより、ツイストロック式注射器６００からコネクタ３０の流路３３を介して、接続本管２内に薬液を注入したり、接続本管２内の輸液をツイストロック式注射器６００で抽出したりすることができる。
【００４３】
例えば、図６に示すように、この接続器具１を輸液回路４０の主送輸液ライン４１に取り付けることにより、側注輸液ライン４３の配管２２やツイストロック式注射器６００を簡単に接続することができる接続システムを構成することができる。この輸液回路４０は、主送輸液ライン４１によって供給する輸液を封入した第１の薬液バッグ４２と、側注輸液ライン４３によって供給する輸液を封入した第２の薬液バッグ４４と、輸液ラインに薬液を注入したり、輸液ラインの輸液を抽出したりするツイストロック式注射器６００を備えている。
【００４４】
また、この輸液回路４０は、側注輸液ライン４３の配管２２を輸液回路の接続器具１の接続口３に接続した状態で、側注輸液ライン４３の配管２２に取り付けたピンチコック８を締めれば、側注輸液ライン４３の輸液の流れを止めることができる。また、側注輸液ライン４３の配管２２を輸液回路の接続器具１の接続口３ａから抜くと、輸液回路の接続器具１の接続口３ａに装着したシール弁体１１が瞬時に閉じるので、側注輸液ライン４３の配管２２の接離が容易にでき、側注輸液ライン４３の切替えが容易に行える。また、主送輸液ライン４１の上流側の配管４に装着したピンチコック８で主送輸液ライン４１の上流側の輸液の流れを止め、接続口３ａに接続した側注輸液ライン４３の配管から主送輸液ライン４１の下流側の配管５に輸液を流すこともできる。また、ツイストロック式注射器６００を使って、適宜に薬液を注入したり、輸液を抽出したりすることができる。
【００４５】
このように輸液回路の接続器具１は４つの接続口３があり、各接続口（３ａ、３ｂ、３ｃ、３ｄ）に、側注輸液ライン４３の配管２２やツイストロック式注射器６００などのシリンジを自由に接続することができるから、複雑な輸液回路を簡単に形成することができる。
【００４６】
また、各接続口３は、中央部に常時は圧着密閉状態の弁孔１２を有するゴム製のシール弁体１１を装着しているので、側注輸液ライン４３の配管２２やツイストロック式注射器６００などのシリンジを繋いだり抜いたりする操作が容易であり、誤操作を解消できる。また、この接続口３は、他の医療用輸液ラインの配管又はシリンジをニードルレスで接続することができ、操作上、安全性が良い。また、シール弁体１１の弁孔１２は、常時は圧着密閉状態であり、側注輸液ライン４３の配管２２、又は、ツイストロック式注射器６００などのシリンジを繋いだり、抜いたりするときにも接続本管２の輸液が漏れることがないので、細菌が接続本管２に入るのを抑制することができ、衛生的である。また、シール弁体１１の弁孔１２は、常時は圧着密閉状態であり、シール弁体１１の外面に付着した輸液を拭き取ったり、接続口３を消毒したりすることが容易である。
【００４７】
以上、本発明の第１実施形態に係る輸液回路の接続器具１を説明したが、本発明の輸液回路の接続器具は、上記に限定されない。
【００４８】
例えば、輸液回路の接続器具１は、接続口３を４つ設けたものを例示したが、図７に示すように、接続口３は２つ以上の複数個設けてもよい。また、上記の実施の形態に限定されず、接続口３を設ける分岐接続管９は、接続本管２の周囲の任意の位置に設けることができる。接続口３の数が多いほど、側注輸液ライン４３の配管２２や、ツイストロック式注射器６００などのシリンジを数多く接続することができるので、複雑な輸液回路を簡単に作ることができるようになる。また接続口３に設ける繋止部２１’は、図８に示すように、先端に係止爪３４を有するばねクリップ構造を備えたコネクタ２３’を繋止するものでも良い。
【００４９】
また、上述した接続口３のシール弁体１１は、本発明の輸液回路の接続器具における接続口３に設けるシール弁体１１の好適な構造を例示したものであり、本発明の輸液回路の接続器具における接続口に設けるシール弁体の構造は上記に限定されるものではない。
【００５０】
例えば、図１〜図３に示すシール弁体１１は、上面１３および／又は下面１５の中央部をそれぞれアーチ型凹部形状１９、２０としているので、前述のように、弁孔１２の近傍でより大きな圧縮応力が作用するため弁孔１２が確実に圧着密閉されるという優れた作用を有するが、本発明はこれに限定されるものではなく、図示は省略するけれども、例えば、上面１３および下面１５とも平面状、又は、上面１３および下面１５とも凸部形状にしてもよい。また、上面１３が平面状で下面１５がアーチ型凹部形状２０もしくはアーチ型凸部形状、又は、下面１５が平面状で上面１３がアーチ型凹部形状１９もしくはアーチ型凸部形状にしてもよい。さらには、シール弁体１１の上面１３がアーチ型凹部形状１９で下面１５がアーチ型凸部形状や、上面１３がアーチ型凸部形状で下面１５がアーチ型凹部形状２０に形成してもよい。
【００５１】
また、図１〜図３に示すシール弁体１１の弁孔１２は、シール弁体１１の上面１３に所定深さの溝１４を直線状に形成し、この溝１４の底部にシール弁体１１の下面１５に貫通した小径孔１６を形成しているが、溝１４はシール弁体１１の下面１５に形成してもよいし、シール弁体１１の上面１３および下面１５に形成してもよい。
【００５２】
次に、本発明の第２実施形態に係る各種の輸液回路の接続器具について、図面を参照して説明する。以下の第２実施形態は、第１実施形態とは異なり、シール弁体の弁孔に、他の医療用輸液ラインの配管やツイストロック式注射器６００などのシリンジを挿し込むことなく、他の医療用輸液ラインの配管やツイストロック式注射器６００の口部６０２などで押圧変形させることによって、弁孔を開口させるようにしたものである。
【００５３】
図９に示す輸液回路の接続器具１ａは、２つの接続口３を有し、それぞれの接続口３に、頂部中央に弁孔５２を形成した半球状のシール弁体５１を装着している。シール弁体５１は、シリコーンゴムなどの弾性体で形成されており、弁孔５２は、例えば、針で形成した小径の孔や、カッターナイフで形成したスリットである。この半球状のシール弁体５１は、分岐接続管９の上端部上にシール弁体５１を載置して、分岐接続管９の上部に、頂部が開口した略半球状のキャップ３６を取り付けてシール弁体５１を固定している。キャップ３６は、例えば、分岐接続管９の外周面に凹溝９ａを設け、キャップ３６の下端内周面に突起部３６ｂを設け、分岐接続管９の凹溝９ａにキャップ３６の突起部３６を嵌合することにより取り付けている。また、キャップ３６は、上部外周面に、後述するコネクタ３５のカラー部３５ｂが螺合可能な螺合片３６ｄを備えている。
なお、キャップ３６は、シール弁体５１の交換や接続器具１ａの消毒時に取り外せるように、分岐接続管に対して着脱自在に構成するとよい。
【００５４】
この輸液回路の接続器具１ａにおいて、半球状のシール弁体５１はキャップ３６の半球状の内周面３６ｃによって上方から押えられており、シール弁体５１の部材内部には、シール弁体５１の頂部中央部を半径方向に圧縮させる力が作用している。この部材内部の力（締付力）により、シール弁体５１の頂部中央において弁孔５２は、常時は、圧着密閉状態になっている。
【００５５】
この接続器具１ａに他の配管２２を接続するときは、例えば、図１０に示すように、配管２２の先端にコネクタ３５を取り付け、コネクタ３５を介して配管２２を接続器具１に接続する。このコネクタ３５は、配管２２を接続するコネクタ本体３５ａと、コネクタ本体３５ａの外周に装着され、コネクタ本体３５ａにガイドされて上下に摺動可能なカラー部３５ｂとを備えている。カラー部３５ｂは、内周に雌ねじ部３５ｂ１を螺設しており、また、カラー部３５ｂの上端部は、内径側に突出しており、カラー部３５ｂがコネクタ本体３５ａに対して所定量相対的に下方に移動すると、コネクタ本体３５ａの外周に設けた段差３５ａ１に係合するようになっている。
【００５６】
コネクタ本体３５ａの先端部３５ａ２をキャップ３６の開口３６ａに入れ、カラー部３５ｂの雌ねじ部３５ｂ１をキャップ３６の螺合片３６ｃに所定量螺合させると、図１０に示すように、カラー部３５ｂとコネクタ本体３５ａが係合して、コネクタ本体３５ａが所定量下降する。このとき、コネクタ本体３５ａの先端部３５ａ２がシール弁体５１の頂部に当接し、シール弁体５１の頂部を押し下げる。
【００５７】
半球状のシ−ル弁体５１は、コネクタ本体３５ａの先端部３５ａ２で頂部が押圧されると、全体的に変形して頂部に設けた弁孔５２が開口して輸液流路が開通する。この第２実施形態に係る接続器具１ａによれば、コネクタ本体３５ａの先端部３５ａ２の外周面が血液や輸液が接触・付着しないので衛生的である。なお、図示するシール弁体５１においては、シール弁体５１の頂部に環状突起部５３が設けてある。この環状突起部５３はコネクタ本体３５ａの先端部３５ａ２を位置決めするとともに、シール弁体５１とコネクタ本体３５ａの先端部３５ａ２との隙間を無くして、血液や輸液の漏れを防止するのに役立つ。また、シール弁体５１の上部がキャップ３６の上端とほぼ同一高さ位置であるため、シール弁体５１の上面に輸液留まりができても容易に拭き取ることができる。さらに、シール弁体５１に環状突起部５３を設けることにより、コネクタ本体５３ａの先端部３５ａ２を挿入したときに、弁孔５２が開き易くなり、弁孔５２が感度良く開口するようになる。
【００５８】
また、着脱自在のキャップ３６を用いることにより、シール弁体５１の最初の装着作業や、シール弁体５１が摩耗や損傷した場合にシール弁体５１の交換作業や接続器具１ａの消毒作業が容易に行える利点がある。なお、図９では、配管２２を接続するコネクタ３５のカラー部３５ｂの雌ねじ部３５ｂ１をキャップ３６の螺合片３６ｃに螺合するようにしているが、ツイストロック式注射器６００を接続する場合は、ツイストロック式注射器６００の口部６０２でシール弁体５１を押圧変形させるとよい。
【００５９】
次に、図１１に示す輸液回路の接続器具１ｂは、接続口３に、上部が半球状で下部が円筒状のシール弁体６１を用いている。このシール弁体６１は、上部中央部に弁孔６２が形成され、この弁孔６２の周囲に環状突起部６３が形成されている。また、分岐接続管９へのシール弁体６１の装着は、図９に示すようにキャップ３６を用いることなく、分岐接続管９の内周面に、凹溝９ｂを形成するとともに、この凹溝９ｂに嵌り込む突起部３８ａを外周面に形成したリング状固定具３８を、前記突起部３８ａを分岐接続管９の凹溝９ｂに嵌め込むことによって、シール弁体６１を着脱自在に装着している。なお、リング状固定具３８の下面３８ｂは、シール弁体６１の上部の半球状凹面形状に相応した凹面形状に形成されている。
【００６０】
図１１の輸液回路の接続器具１ｂにおいて、シール弁体６１は、常時は、リング状固定具３８の下面３８ｂの半球状凹面形状、あるいはさらに、分岐接続管９の内周面によって押えられており、シール弁体６１の上部は内径方向に圧縮されている。このため、シール弁体６１の部材内部に作用する締付力によってシール弁体６１の弁孔６２は圧着密閉状態になっている。
【００６１】
この接続器具１ｂは、図１０に示したものと同様に、分岐接続管９にコネクタ３５の先端部３５ａ２やニードルレス注射器６００の口部６０２を挿入することによって、シール弁体６１の弁孔６２にコネクタ３５の先端部３５ａ２やニードルレス注射器６００の口部６０２を挿し込むことなく、コネクタ３５の先端部３５ａ２やニードルレス注射器６００の口部６０２でシール弁体６１を押圧変形させて、弁孔６２を開口状態にすることができる。また、分岐接続管９からコネクタ３５の先端部３５ａ２やニードルレス注射器６００の口部６０２を抜くと、シール弁体６１が弾性的に元の形状に戻り弁孔６２は閉じられる。また、シール弁体６１の頂上の位置は分岐接続管９の端部近傍に復帰し、シール弁体６１上の輸液留まりを容易に拭き取ることができる。
【００６２】
さらに、この図１１に示す輸液回路の接続器具１ｂにおいても、リング状固定具３８によってシール弁体６１を着脱自在に構成することができ、シール弁体６１の最初の装着作業や、シール弁体６１の交換作業、接続器具１ｂの消毒作業において、シール弁体６１を取り外すことができるようにするとよい。なお、リング状固定具３８を用いることによって、シール弁体６１の上端が分岐接続管９の上端よりも若干低くなるが、このような段差が生じても、シール弁体６１の上面の輸液溜まりの拭き取り作業には殆ど支障がないばかりか、段差によりリング状固定具３８がコネクタ２３や３０の挿入管部２４やニードルレス注射器６００の口部６０２の挿入時にガイドとなって、挿入作業が容易、かつ、安定して行える利点がある。
【００６３】
次に、図１２に示す輸液回路の接続器具１ｃは、接続口３に、略有天円筒状のシール弁体７１を装着したものである。このシール弁体７１は、弁孔７２を形成した天井部の上面７３をアーチ型凹面形状に形成すると共に、下面７４をアーチ型凸面形状に形成し、円筒部を下端に向かうにしたがって肉厚状に形成している。また、分岐接続管９の内周面上端近傍には、図１３に示すように、係合用凹溝９ｂが形成され、その下方部に段部９ｃが形成されている。そして、分岐接続管９の凹溝９ｂに嵌り込む突起部３８ａを外周面に形成したリング状固定具３８′を、前記突起部３８ａ′を分岐接続管９の凹溝９ｂに嵌め込むことによって、分岐接続管９にシール弁体７１を着脱自在に装着している。なお、シール弁体７１の外径寸法は、分岐接続管９の内径寸法よりも若干小さく形成されている。また、リング状固定具３８′の下面３８ｂ′は、平面形状に形成されて、上下対称形状に形成されている。このリング状固定具３８′は上下対称形状であるため、その上下を考慮することなく装着できる。
【００６４】
この図１２の略有天円筒状のシール弁体７１を用いた輸液回路の接続器具１ｃにおいて、常時は、シール弁体７１は、リング状固定具３８′の下面３８′の押圧力により下方に向かって圧縮され、シール弁体７１の天井部の部材内部を中心方向に向かう力（締付力）によって弁孔７２が圧着密閉状態になっている。また、分岐接続管９に図１０のコネクタ３５の先端部３５ａ２やツイストロック式注射器６００の口部６０２を挿入することによって、シール弁体７１の弁孔７２にコネクタ３５の先端部３５ａ２やツイストロック式注射器６００の口部６０２を挿し込むことなく、コネクタ３５の先端部３５ａ２やツイストロック式注射器６００の口部６０２でシール弁体７１を押圧変形させて、弁孔７２を開口状態にすることができる。このとき、前述のように、シール弁体７１の外径寸法が分岐接続管９の内径寸法よりも小さく設定されているので、コネクタ３５の先端部３５ａ２やツイストロック式注射器６００の口部６０２によるシール弁体７１の押圧変形が容易である。
【００６５】
また、コネクタ３５の先端部３５ａ２やツイストロック式注射器６００の口部６０２を分岐接続管から抜くと、シール弁体７１の弾性復元力により、シール弁体７１は元の形状に戻り、弁孔７２は閉じられる。なお、シール弁体７１の天井部の高さ位置は、リング状固定具３８’の上端近傍に復帰するので、シール弁体７１上の輸液留まりの拭き取りが容易である。また、シール弁体７１の天井部の高さ位置は、リング状固定具３８’の上端よりも少し低くなり段差が生じるが、分岐接続管９の上端とシール弁体７１の上端との段差を利用して、リング状固定具３８′がコネクタ３５の先端部３５ａ２やツイストロック式注射器６００の口部６０２の挿入時にガイドとなって、挿入作業が容易、かつ、安定して行える利点がある。
【００６６】
前記リング状固定具３８′の下面３８ｂ′は、シール弁体７１の肩部の平面部７５の形状に合致するように平面形状に形成されており、製造が容易であるのみならず、リング状固定具３８′の下面３８ｂ′が、分岐接続管９の段部９ｃによって受止められるので、リング状固定具３８′が必要以上に分岐接続管９内に挿入されることがない。
【００６７】
また、図１２の輸液回路の接続器具１ｃにおいても、リング状固定具３８′によってシール弁体７１を着脱自在に構成することができ、シール弁体７１の最初の装着作業や、シール弁体７１の交換作業、接続器具１ｃの消毒作業において、シール弁体７１を取り外すことができるようにするとよい。
【００６８】
次に、図１４に示す輸液回路の接続器具１ｄは、接続口３に、シール弁体８１を装着したものである。シール弁体８１は、弁孔８２を有する上部８３が半球状で、円筒状の中間部８４と、下部に向かって拡開したアーチ型脚部８５とを有する。分岐接続管９は、上端外周面に係合用凸部９ｄを有する。このシール弁体８１は、下端内周面に係合用凸部３９ａ、スリーブ部３９ｂおよび凹球面形状部３９ｃを有するキャップ３９の係合用凸部３９ａを、分岐接続管９の係合用凸部９ｄに係合することによって、着脱自在に装着されている。
【００６９】
このシール弁体８１は、常時は、キャップ３９の凹球面形状部３９ｃにより、内径方向に押えられており、シール弁体８１の部材内部に作用する締付力によって弁孔８２が圧着密閉状態になっている。また、キャップ３９のスリーブ部３９ｂ内にコネクタ３５の先端部３５ａ２やツイストロック式注射器６００の口部６０２を挿入することにより、コネクタ３５の先端部３５ａ２やツイストロック式注射器６００の口部６０２を弁孔８２に挿し込むことなく、コネクタ３５の先端部３５ａ２やツイストロック式注射器６００の口部６０２でシール弁体８１が押圧変形されることによって、弁孔８２が開口状態になって流路が形成される。さらに、コネクタ３５の先端部３５ａ２やツイストロック式注射器６００の口部６０２がスリーブ部３９ｂから引き抜かれると、下部のアーチ型脚部８５による大きな位置復元力によって、元の形状に復元して弁孔８２を確実に閉止することができ、シール弁体８１の頂部もキャップ３９のスリーブ部３９ｂの上端近傍に復帰する。これにより、シール弁体８１の頂部が拭き取り易くなる。
【００７０】
なお、図示は省略するが、図９、図１１〜図１２のシール弁体５１，６１，７１および８１においても、円板状のシール弁体の変形例で述べたように、その上面および下面は、それぞれ平面状、アーチ型凹面形状、アーチ型凸面形状の各種の組み合わせとすることができる。また、弁孔はシール弁体の上面および／又は下面に溝を形成して、その溝内に小径孔を形成するようにしてもよい。
【００７１】
【発明の効果】
請求項１に記載の輸液回路の接続器具は、一の医療用輸液ラインを接続する流路に、中央部に常時は圧着密閉状態の弁孔を有するゴム製のシール弁体を装着した接続口を複数備えているので、他の医療用輸液ライン（側注輸液ライン）の配管や、シリンジを複数繋ぐことができ、複雑な輸液回路を簡単に作ることができる。
【００７２】
また、接続口に、中央部に常時は圧着密閉状態の弁孔を有するゴム製のシール弁体を装着しているので、他の医療用輸液ラインの配管やシリンジを接続口に繋いだり抜いたりする操作が容易であり、また細菌が流路に混入するのを抑制することができ、またシール弁体の外面に付着した輸液を拭き取ったり、接続口を消毒したりすることが容易であり衛生的である。また、ニードルレスで接続できるので安全性も良い。
【００７３】
請求項２に記載の輸液回路の接続器具は、接続口に、他の医療用輸液ラインの配管又はシリンジを繋ぎ止める繋止部を設けたので、接続口に接続した他の医療用輸液ラインの配管やシリンジが誤って外れることがない。
【００７４】
請求項３に記載の輸液回路の接続器具は、他の医療用輸液ラインの配管又はシリンジの先端にコネクタを取り付けるとともに、接続器具の各接続口に、コネクタを介して、他の医療用輸液ラインの配管又はシリンジを接続するようにしたので、他の医療用輸液ラインの配管又はシリンジの先端の規格に応じたコネクタを用いることにより、他の医療用輸液ラインの配管又はシリンジを接続することができ、汎用性が向上する。
【００７５】
請求項４に記載の輸液回路の接続器具は、他の医療用輸液ラインの配管、シリンジ又はコネクタの先端をシール弁体の弁孔に挿し込むことなく、シール弁体で押圧変形させることによって、弁孔を開口状態にして流路を形成している。このため、輸液が他の医療用輸液ラインの配管、シリンジ又はコネクタの先端外周部に接触しないので衛生的である。
【００７６】
請求項５に記載した輸液回路の接続器具は、シール弁体の形状を略半球状又は略円筒状にしたので、その形状的特性により、シール弁体の弾性力を規制でき、他の医療用輸液ラインの配管、シリンジ又はコネクタの先端をシール弁体の弁孔に挿し込むことなく、シール弁体で押圧変形させることによって、弁孔を開口状態にして流路を形成することを容易に実施できる。
【００７７】
請求項６に記載の輸液回路の接続器具は、前記シール弁体が、分岐接続管にリング状固定具又はキャップによって着脱自在に装着されていることを特徴としている。この輸液回路の接続器具は、シール弁体の装着作業やシール弁体が摩耗したり損傷したりした場合の交換作業を、容易に行うことができる。また、リング状固定具によって分岐接続管の上端とシール弁体の上端との間に形成される段差によって、他の医療用輸液ラインの配管又はシリンジの先端の挿入が容易、かつ、安定して行える。
【００７８】
請求項７に記載の輸液回路の接続システムは、中央部に常時は圧着密閉状態の弁孔を有するゴム製のシール弁体を装着した接続口を複数設けた接続器具を用いているので、接続器具を取り付けた一の医療用輸液ラインに、他の医療用輸液ラインの配管又はシリンジを接続する自由度が高く、複雑な輸液回路を簡単に作ることができる。また、この接続口は、他の医療用輸液ラインの配管又はシリンジをニードルレスで接続することができ、操作上、安全性が良い。
【００７９】
請求項８に記載の輸液回路の接続システムは、中央部に常時は圧着密閉状態の弁孔を有するゴム製のシール弁体を装着した接続口を複数設けた接続器具を用いているので、接続器具を取り付けた一の医療用輸液ラインに、他の医療用輸液ラインの配管又はシリンジを接続する自由度が高く、複雑な輸液回路を簡単に作ることができる。また、この接続口は、他の医療用輸液ラインの配管又はシリンジをニードルレスで接続することができ、操作上、安全性が良い。さらに、他の医療用輸液ラインの配管又はシリンジを、シール弁体の弁孔に挿し込むことなく、他の医療用輸液ラインの配管又はシリンジでシール弁体を凹圧変形させて弁孔を開口状態にするので、弁孔の設計が容易で、シール弁体の製造が容易である。特に、シール弁体を押圧変形させて弁孔を開口状態にすることは、キャップの内部に注射器の口部を直接挿入可能にするメリットが大きい。
【図面の簡単な説明】
【図１】本発明の第１実施形態に係る輸液回路の接続器具の縦断面図である。
【図２】（ａ）は本発明の第１実施形態に係るシール弁体を示す平面図、（ｂ）はシール弁体のＡ−Ａ断面図、（ｃ）はシール弁体の貫通孔部分の拡大断面図、（ｄ）はシール弁体の溝両端部分の拡大平面図である。
【図３】分岐接続管に装着した状態でのシール弁体の応力状態を示す図である。
【図４】本発明の第１実施形態に係る輸液回路の接続器具に側注輸液ラインの医療用配管を接続した状態を示す図である。
【図５】（ａ）はツイストロック式注射器を示す縦断面図、（ｂ）はツイストロック式注射器の口部を示す図、（ｃ）はツイストロック式注射器の注射針を示す図である。
【図６】本発明に係る輸液回路の接続器具を用いた輸液回路の構成例を示す図である。
【図７】本発明に係る輸液回路の接続器具の変形例を示す縦断面図である。
【図８】本発明に係る輸液回路の接続器具に接続するコネクタの変形例を示す縦断面図である。
【図９】本発明の第２実施形態に係る輸液回路の接続器具の縦断面図である。
【図１０】図９の輸液回路の接続器具においてキャップにカラー部を螺合してコネクタの先端部でシール弁体を押圧変形させた状態の縦断面図である。
【図１１】本発明に係る輸液回路の接続器具の変形例を示す縦断面図である。
【図１２】（ａ）は本発明に係る輸液回路の接続器具のさらに他の変形例を示す縦断面図、（ｂ）はシール弁体の平面図である。
【図１３】（ａ）は図１１の輸液回路の接続器具における分岐接続管の拡大断面図、（ｂ）は分岐接続管の係合用凹部の部分拡大断面図である。
【図１４】本発明に係る輸液回路の接続器具のさらに異なる変形例を示す縦断面図である。
【図１５】（ａ）（ｂ）はそれぞれ従来の接続器具を示す縦断面図である。
【符号の説明】
１、１′、１ａ〜１ｄ  輸液回路の接続器具
２  接続本管
３  接続口
４  主送輸液ラインの上流側の配管
５  主送輸液ラインの下流側の配管
６、７  接続部
８  ピンチコック
９  分岐接続管
１１  シール弁体
１２  弁孔
１３  シール弁体の上面
１４  溝
１５  シール弁体の下面
１６  小径孔
１７  シール弁体の外径
１８  分岐接続管の先端開口部の内壁
１９、２０  アーチ型凹部形状
２１  螺合片（繋止部）
２２  側注輸液ラインの配管
２３  コネクタ
２４  挿入管部
２５  カラー部
２６  螺合部
２７  装着部
２８  流路
２９  操作片
３０  コネクタ
３１  装着部
３２  螺合片（繋止部）
３３  流路
３４  係止爪
３５  コネクタ
３６  キャップ
３８、３８′  リング状固定具
３９  キャップ
４０  輸液回路
４１  主送輸液ライン
４２  第１の薬液バック
４３  側注輸液ライン
４４  第２の薬液バック
５１  半球状のシール弁体
６１  上部が半球状で下部が円筒状のシール弁体
７１  略有天円筒状のシール弁体
８１  シール弁体
６００  ツイストロック式注射器
６０２  口部
６０６  雌ねじ部
【図１】
2004195181.tif 000003
【図２】
2004195181.tif 000004
【図３】
2004195181.tif 000005
【図４】
2004195181.tif 000006
【図５】
2004195181.tif 000007
【図６】
2004195181.tif 000008
【図７】
2004195181.tif 000009
【図８】
2004195181.tif 000010
【図９】
2004195181.tif 000011
【図１０】
2004195181.tif 000012
【図１１】
2004195181.tif 000013
【図１２】
2004195181.tif 000014
【図１３】
2004195181.tif 000015
【図１４】
2004195181.tif 000016
【図１５】
2004195181.tif 000017